(57)【要約】【課題】簡単な操作によってコンテンツを共有しながら通話を行うことができ、且つ、コンテンツのデータを必ずしも相手方に供与することなく実効的にコンテンツを共有することが可能なコンテンツ共有通信システムを提供する。【解決手段】コンテンツ共有通信サービスをサポートする通信システム管理サーバ１３０と、共有コンテンツを保持するコンテンツデータ記憶領域を管理するコンテンツ共有管理サーバ１４０とを含んでコンテンツ共有通信システムを構成し、通信システム管理サーバ１３０からの指令に応じてコンテンツ共有管理サーバ１４０がコンテンツデータ記憶領域を開設し、通信システム管理サーバ１３０からのセッション終了通知に応じてコンテンツ共有管理サーバ１４０がこのコンテンツデータ記憶領域を解放する。【選択図】図１
2012099916.tif 000002
【特許請求の範囲】
【請求項１】
一方の通信当事者および他方の通信当事者の双方の通信当事者間でコンテンツを共有しながら通話を行うことが可能なコンテンツ共有通信サービスを提供するコンテンツ共有通信システムであって、
前記双方の通信当事者間での通話セッションを管理し、当該通話セッションの終了時には通話セッション終了通知を発する通信システム管理サーバと、
前記通信システム管理サーバによる管理下で、何れかの通信当事者からの前記コンテンツ共有通信サービスの利用申し込み情報を受付けて双方の通信当事者間で共有されるコンテンツを前記双方の通信当事者からアクセス可能に保持するためのコンテンツデータ記憶領域を開設し、前記通信システム管理サーバからの前記通話セッション終了通知を受けて、当該コンテンツデータ記憶領域を解放するコンテンツ共有管理サーバと、
を含んで構成されていることを特徴とするコンテンツ共有通信システム。
【請求項２】
前記通信当事者間での通話セッションの状況を監視して呼制御に係る所要の情報を外部と授受するセッション管理部と、
前記セッション管理部が当該コンテンツ共有通信サービスに係るセッションが終了したことを検出したときには、前記コンテンツ共有管理サーバに通話セッション終了通知を発するセッション終了通知部と、
を備えていることを特徴とする請求項１に記載のコンテンツ共有通信システム。
【請求項３】
前記通信システム管理サーバによる管理下で、何れかの通信当事者からの前記コンテンツ共有通信サービスの利用申し込み情報を受付けて該当するコンテンツデータ記憶領域を開設するコンテンツデータ記憶領域開設制御部と、
前記通信システム管理サーバからの当該コンテンツ共有通信サービスに係る通話セッション終了通知に応じて前記コンテンツデータ記憶領域を解放するコンテンツデータ記憶領域解放制御部と、
を備えていることを特徴とする請求項１に記載のコンテンツ共有通信システム。
【請求項４】
一方の通信当事者および他方の通信当事者の双方の通信当事者間でコンテンツを共有しながら通話を行うことが可能なコンテンツ共有通信サービスをサポートする通信システム管理サーバと、前記通信システム管理サーバの管理下で当該コンテンツ共有通信サービスにおける共有コンテンツを保持するコンテンツデータ記憶領域を管理するコンテンツ共有管理サーバとを含んで構成されるコンテンツ共有通信システムに適合する通信システム管理サーバであって、
前記通信当事者間での通話セッションの状況を監視して呼制御に係る所要の情報を外部と授受するセッション管理部と、
前記セッション管理部が当該コンテンツ共有通信サービスに係るセッションが終了したことを検出したときには、前記コンテンツ共有管理サーバに通話セッション終了通知を発するセッション終了通知部と、
を備えていることを特徴とする通信システム管理サーバ。
【請求項５】
一方の通信当事者および他方の通信当事者の双方の通信当事者間でコンテンツを共有しながら通話を行うことが可能なコンテンツ共有通信サービスをサポートする通信システム管理サーバと、前記通信システム管理サーバの管理下で当該コンテンツ共有通信サービスにおける共有コンテンツを保持するコンテンツデータ記憶領域を管理するコンテンツ共有管理サーバとを含んで構成されるコンテンツ共有通信システムに適合するコンテンツ共有管理サーバであって、
前記通信システム管理サーバによる管理下で、何れかの通信当事者からの前記コンテンツ共有通信サービスの利用申し込み情報を受付けて該当するコンテンツデータ記憶領域を開設するコンテンツデータ記憶領域開設制御部と、
前記通信システム管理サーバからの当該コンテンツ共有通信サービスに係る通話セッション終了通知に応じて前記コンテンツデータ記憶領域を解放するコンテンツデータ記憶領域解放制御部と、
を備えていることを特徴とするコンテンツ共有管理サーバ。
【請求項６】
一方の通信当事者および他方の通信当事者の双方の通信当事者間でコンテンツを共有しながら通話を行うことが可能なコンテンツ共有通信サービスをコンテンツ共有通信サービス管理装置による管理下で提供するコンテンツ共有通信システムであって、
前記コンテンツ共有通信サービス管理装置は、双方の通信当事者間での通話セッションを管理し、前記何れかの通信当事者による所定の操作に基づくコンテンツ共有通信サービス要求を受付けて前記コンテンツ共有通信サービスをサポートし、前記一方の通信当事者の操作に応じて双方の通信当事者間で共有されるコンテンツを前記双方の通信当事者からアクセス可能に保持するためのコンテンツデータ記憶領域を開設し、前記双方の通信当事者間での通話セッションの終了後に、当該コンテンツデータ記憶領域を解放することを特徴とするコンテンツ共有通信システム。
【請求項７】
一方の通信当事者および他方の通信当事者の双方の通信当事者間でコンテンツを共有しながら通話を行うことが可能なコンテンツ共有通信サービスをサポートするコンテンツ共有通信サービス管理装置であって、
前記通信当事者間での通話セッションの状況を監視して呼制御に係る所要の情報を外部と授受するセッション管理部と、
前記何れかの通信当事者による所定の操作に基づくコンテンツ共有通信サービス要求を受付けるユーザインターフェース部と、
前記ユーザインターフェース部が受付けた当該コンテンツ共有通信サービス要求に応じて当該共有するコンテンツを保持するコンテンツデータ記憶領域を開設するコンテンツデータ記憶領域開設制御部と、
前記セッション管理部が当該コンテンツ共有通信サービスに係るセッションが終了したことを検出したときには、前記コンテンツデータ記憶領域を解放するコンテンツデータ記憶領域解放制御部と、
を備えていることを特徴とするコンテンツ共有通信サービス管理装置。
【請求項８】
ネットワークにおける一方の通信当事者および他方の通信当事者の双方の通信当事者間でコンテンツを共有しながら通話を行うことが可能なコンテンツ共有通信サービスを提供するコンテンツ共有通信方法であって、
前記双方の通信当事者間での通話セッションを管理し、何れかの通信当事者からのコンテンツ共有通信サービス要求を受付けて前記コンテンツ共有通信サービスをサポートするための管理を実行し、
前記一方の通信当事者の操作に応じて双方の通信当事者間で共有されるコンテンツを前記双方の通信当事者からアクセス可能に保持するためのコンテンツデータ記憶領域を前記ネットワーク上に開設し、前記双方の通信当事者間での通話セッションの終了後に、当該コンテンツデータ記憶領域を解放することを特徴とするコンテンツ共有通信方法。
【発明の詳細な説明】
【技術分野】
【０００１】
本発明は、コンテンツを共有しながら通話を行うことが可能なコンテンツ共有通信サービスを提供するための、コンテンツ共有通信システム、通信システム管理サーバ、コンテンツ共有管理サーバ、コンテンツ共有通信サービス管理装置、および、コンテンツ共有通信方法に関する。
【背景技術】
【０００２】
一般に、電話通信を行う通信当事者間で、写真（静止画）や映像（動画）、或いは、Ｗｅｂページ等のコンテンツを共有し、これらのコンテンツを通信当事者が同時に見ながら通話を行うことができれば、民生用途であると業務用途であるとを問わず、その通信当事者は高機能な通信を享受できる。例えば、通話の当事者は実際には遠く離れていても恰も同じ場所に居合わせているような臨場感を持って円滑な通話を行うことができる。
通話中に通信当事者間で同じコンテンツを見る方法としては、予めメールを利用してＵＲＬを相手方に伝え、該当するＷｅｂページ等のコンテンツを所要に応じてダウンロードして通信当事者間で同時に見るといった方法が採られ得る。
また、通常の利用において厳密には同じコンテンツを共有する訳ではないが、映像を伴う通話方法として、テレビ電話やテレビ会議システムがよく知られている。
【０００３】
また、従来、上述のような方法の他にも、端末装置相互間で通話中に写真（静止画）や映像（動画）などのコンテンツを共有する仕組みも存在する。例えば、ＲＣＳ（Rich Communication Suite）がこれに該当する。
一方、画像・音声等のコンテンツを楽しみながらコミュニケーションを行うことを可能にして、従来のような端末装置間での通話では表現しきれない点を補うべく、サーバに保持されたコンテンツを共有しながら端末装置間で通話をする技術が既に提案されている（例えば、特許文献１参照）。
【０００４】
特許文献１の技術では、通信網に接続されたコンテンツ共有支援サーバと、通信網を介してコンテンツ共有支援サーバに接続可能な複数の端末装置とを含んで通信システムが構成される。各端末装置は、コンテンツ共有支援サーバを介して他の端末装置に会話情報を送信し、他の端末装置から会話情報を受信する。また、共有するコンテンツのデータをコンテンツ共有支援サーバを介して他のユーザの端末装置に送信し、また他のユーザによって選択されたコンテンツのデータを受け取る。コンテンツ共有支援サーバは、同一のコミュニケーショングループに属する端末装置間において会話情報と共有コンテンツのデータを共有させるようにこれらの転送を行う。
【０００５】
また、それぞれ会話装置を搭載した複数のコンピュータ間で同じコンテンツを見ながら相手と通信する技術が提案されている（例えば、特許文献２参照）。
特許文献２に開示の技術では、一方のコンピュータ内の会話装置のコンテンツ記憶部に格納されたＴＶ放送録画コンテンツなどのコンテンツリストを、相手方のコンピュータ内の会話装置に送信するとともに、自らも相手方からＴＶ放送録画などのコンテンツリストを受信する。双方のコンピュータにおけるそれぞれの会話装置は、自己のコンテンツリストと受信したコンテンツリストとを比較して両者が共通して有するコンテンツを、自己のコンテンツ記憶部から検索してディスプレイ６１０に表示する。
【先行技術文献】
【特許文献】
【０００６】
【特許文献１】特開２００３−２２３４０７号公報
【特許文献２】特開２００７−１５９０９８号公報
【発明の概要】
【発明が解決しようとする課題】
【０００７】
上述のようなＷｅｂページ等のコンテンツを共有する従来技術では、予めメール等を利用してＵＲＬを相手方に伝え、該当するＷｅｂページ等のコンテンツを共有する場合も、共有するアクセス先を通話の相手方に事前に伝え、また、相手方でもそのＵＲＬにアクセスする必要がある。更に、通話の相手が変わったり、共有したいコンテンツが変わったりした場合には、その都度、改めてＵＲＬを相手方に伝えなくてはならず、コンテンツを共有した状態を維持するための操作が種々煩雑である。
【０００８】
また、テレビ電話やテレビ会議システムでは、周知のとおり、普通の用い方をする場合には、リアルタイムな映像しか共有することができず、事前に取得した写真や映像を共有することは難しい。また、仮に共有できたとしても、その場合は適用する機材や通信サービスの利用の仕方に関して特別な準備がされていることが前提であり、実際には種々制約があるのが普通である。
更にまた、ＲＣＳの場合は、ピア・ツー・ピア方式で端末装置相互間が結ばれるため、共有するコンテンツのデータを相手方に送信して供与することが必須となる。
【０００９】
一方、上掲の特許文献１の技術では、当初の発信者側から見た通信の相手方は偶発的且つ受動的に決定されるものであり、発信者側から意図的に選んだ相手方とセッションを確立させて、この確立に応じてネットワーク上に共通のコンテンツの保持領域を確保するという用い方は考えられていない。
また、上掲の特許文献２の技術では、結果的に、見かけ上同じコンテンツを通信の当事者間で同期をとって再生させるものの、既述のとおり、予め通信の当事者間でコンテンツリストを交換し、その上で双方のコンテンツリスト上で共通のコンテンツを共有するものであるため、実際にコンテンツを共有して通信を行うまでの準備が煩雑であり、共有するコンテンツの変更等についても操作が面倒で所謂使い勝手が良いとはいえない。
【００１０】
本発明は上述のような状況に鑑みてなされたものであり、簡単な操作によってコンテンツを共有しながら通話を行うことができ、且つ、コンテンツのデータを必ずしも相手方に供与することなく実効的にコンテンツを共有することが可能な、コンテンツ共有通信システム、通信システム管理サーバ、コンテンツ共有管理サーバ、コンテンツ共有通信サービス管理装置、および、コンテンツ共有通信方法を提供することをその目的とする。
【課題を解決するための手段】
【００１１】
（１）一方の通信当事者および他方の通信当事者の双方の通信当事者間でコンテンツを共有しながら通話を行うことが可能なコンテンツ共有通信サービスを提供するコンテンツ共有通信システムであって、
前記双方の通信当事者間での通話セッションを管理し、当該通話セッションの終了時には通話セッション終了通知を発する通信システム管理サーバと、
前記通信システム管理サーバによる管理下で、何れかの通信当事者からの前記コンテンツ共有通信サービスの利用申し込み情報を受付けて双方の通信当事者間で共有されるコンテンツを前記双方の通信当事者からアクセス可能に保持するためのコンテンツデータ記憶領域を開設し、前記通信システム管理サーバからの前記通話セッション終了通知を受けて、当該コンテンツデータ記憶領域を解放するコンテンツ共有管理サーバと、
を含んで構成されていることを特徴とするコンテンツ共有通信システム。
【００１２】
上記（１）のコンテンツ共有通信システムでは、通信システム管理サーバの下で通信当事者間での通話セッションが管理され、当該通話セッションの終了時には前記通信システム管理サーバから通話セッション終了通知が発せられる。
また、コンテンツ共有管理サーバは、通信システム管理サーバの管理下で、何れかの通信当事者からの前記コンテンツ共有通信サービスの利用申し込み情報を受付けて双方の通信当事者間で共有されるコンテンツを保持するためのコンテンツデータ記憶領域を開設し、更に、前記通信システム管理サーバからの前記通話セッション終了通知を受けて、この領域を解放する。
【００１３】
（２）前記通信システム管理サーバは、
前記通信当事者間での通話セッションの状況を監視して呼制御に係る所要の情報を外部と授受するセッション管理部と、
前記セッション管理部が当該コンテンツ共有通信サービスに係るセッションが終了したことを検出したときには、前記コンテンツ共有管理サーバに通話セッション終了通知を発するセッション終了通知部と、
を備えていることを特徴とする（１）のコンテンツ共有通信システム。
【００１４】
上記（２）のコンテンツ共有通信システムでは、（１）のコンテンツ共有通信システムにおいて特に、その通信システム管理サーバが、セッション管理部と、セッション終了通知部とを含んで構成される。
セッション管理部は、前記通信当事者間での通話セッションの状況を監視して呼制御に係る所要の情報を外部と授受する。
また、セッション終了通知部は、前記セッション管理部が当該コンテンツ共有通信サービスに係るセッションが終了したことを検出したときには、前記コンテンツ共有管理サーバに通話セッション終了通知を発する。
【００１５】
（３）前記コンテンツ共有管理サーバは、
前記通信システム管理サーバによる管理下で、何れかの通信当事者からの前記コンテンツ共有通信サービスの利用申し込み情報を受付けて該当するコンテンツデータ記憶領域を開設するコンテンツデータ記憶領域開設制御部と、
前記通信システム管理サーバからの当該コンテンツ共有通信サービスに係る通話セッション終了通知に応じて前記コンテンツデータ記憶領域を解放するコンテンツデータ記憶領域解放制御部と、
を備えていることを特徴とする（１）のコンテンツ共有通信システム。
【００１６】
上記（３）のコンテンツ共有通信システムは、（１）のコンテンツ共有通信システムにおいて特に、そのコンテンツ共有管理サーバが、コンテンツデータ記憶領域開設制御部と、コンテンツデータ記憶領域解放制御部とを含んで構成される。
コンテンツデータ記憶領域開設制御部は、前記通信システム管理サーバによる管理下で、何れかの通信当事者からの前記コンテンツ共有通信サービスの利用申し込み情報を受付けて該当するコンテンツデータ記憶領域を開設する。
また、コンテンツデータ記憶領域解放制御部は、前記通信システム管理サーバからの当該コンテンツ共有通信サービスに係る通話セッション終了通知に応じて前記コンテンツデータ記憶領域を解放する。
【００１７】
（４）一方の通信当事者および他方の通信当事者の双方の通信当事者間でコンテンツを共有しながら通話を行うことが可能なコンテンツ共有通信サービスをサポートする通信システム管理サーバと、前記通信システム管理サーバの管理下で当該コンテンツ共有通信サービスにおける共有コンテンツを保持するコンテンツデータ記憶領域を管理するコンテンツ共有管理サーバとを含んで構成されるコンテンツ共有通信システムに適合する通信システム管理サーバであって、
前記通信当事者間での通話セッションの状況を監視して呼制御に係る所要の情報を外部と授受するセッション管理部と、
前記セッション管理部が当該コンテンツ共有通信サービスに係るセッションが終了したことを検出したときには、前記コンテンツ共有管理サーバに通話セッション終了通知を発するセッション終了通知部と、
を備えていることを特徴とする通信システム管理サーバ。
【００１８】
上記（４）の通信システム管理サーバは、一方の通信当事者および他方の通信当事者の双方の通信当事者間でコンテンツを共有しながら通話を行うことが可能なコンテンツ共有通信サービスをサポートする通信システム管理サーバと、前記通信システム管理サーバの管理下で当該コンテンツ共有通信サービスにおける共有コンテンツを保持するコンテンツデータ記憶領域を管理するコンテンツ共有管理サーバとを含んで構成されるコンテンツ共有通信システムに適合する。
この通信システム管理サーバは、セッション管理部と、セッション終了通知部とを含んで構成される。
セッション管理部は、前記通信当事者間での通話セッションの状況を監視して呼制御に係る所要の情報を外部と授受する。
また、セッション終了通知部は、前記セッション管理部が当該コンテンツ共有通信サービスに係るセッションが終了したことを検出したときには、前記コンテンツ共有管理サーバに通話セッション終了通知を発する。
【００１９】
（５）一方の通信当事者および他方の通信当事者の双方の通信当事者間でコンテンツを共有しながら通話を行うことが可能なコンテンツ共有通信サービスをサポートする通信システム管理サーバと、前記通信システム管理サーバの管理下で当該コンテンツ共有通信サービスにおける共有コンテンツを保持するコンテンツデータ記憶領域を管理するコンテンツ共有管理サーバとを含んで構成されるコンテンツ共有通信システムに適合するコンテンツ共有管理サーバであって、
前記通信システム管理サーバによる管理下で、何れかの通信当事者からの前記コンテンツ共有通信サービスの利用申し込み情報を受付けて該当するコンテンツデータ記憶領域を開設するコンテンツデータ記憶領域開設制御部と、
前記通信システム管理サーバからの当該コンテンツ共有通信サービスに係る通話セッション終了通知に応じて前記コンテンツデータ記憶領域を解放するコンテンツデータ記憶領域解放制御部と、
を備えていることを特徴とするコンテンツ共有管理サーバコンテンツ共有管理サーバ。
【００２０】
上記（５）のコンテンツ共有管理サーバは、一方の通信当事者および他方の通信当事者の双方の通信当事者間でコンテンツを共有しながら通話を行うことが可能なコンテンツ共有通信サービスをサポートする通信システム管理サーバと、前記通信システム管理サーバの管理下で当該コンテンツ共有通信サービスにおける共有コンテンツを保持するコンテンツデータ記憶領域を管理するコンテンツ共有管理サーバとを含んで構成されるコンテンツ共有通信システムに適合する。
【００２１】
このコンテンツ共有管理サーバは、コンテンツデータ記憶領域開設制御部と、コンテンツデータ記憶領域解放制御部とを含んで構成される。
コンテンツデータ記憶領域開設制御部は、前記通信システム管理サーバによる管理下で、何れかの通信当事者からの前記コンテンツ共有通信サービスの利用申し込み情報を受付けて該当するコンテンツデータ記憶領域を開設する。
また、コンテンツデータ記憶領域解放制御部は、前記通信システム管理サーバからの当該コンテンツ共有通信サービスに係る通話セッション終了通知に応じて前記コンテンツデータ記憶領域を解放する。
【００２２】
（６）一方の通信当事者および他方の通信当事者の双方の通信当事者間でコンテンツを共有しながら通話を行うことが可能なコンテンツ共有通信サービスをコンテンツ共有通信サービス管理装置による管理下で提供するコンテンツ共有通信システムであって、
前記コンテンツ共有通信サービス管理装置は、双方の通信当事者間での通話セッションを管理し、前記何れかの通信当事者による所定の操作に基づくコンテンツ共有通信サービス要求を受付けて前記コンテンツ共有通信サービスをサポートし、前記一方の通信当事者の操作に応じて双方の通信当事者間で共有されるコンテンツを前記双方の通信当事者からアクセス可能に保持するためのコンテンツデータ記憶領域を開設し、前記双方の通信当事者間での通話セッションの終了後に、当該コンテンツデータ記憶領域を解放することを特徴とするコンテンツ共有通信システム。
【００２３】
上記（６）のコンテンツ共有通信システムは、コンテンツ共有通信サービス管理装置の下で通信当事者間での通話セッションが管理され、コンテンツ共有通信サービスがサポートされる。そして、何れかの通信当事者からのコンテンツ共有通信サービスの利用要求が、このコンテンツ共有通信サービス管理装置で受付けられる。
また、コンテンツ共有通信サービス管理装置は、双方の通信当事者間で共有されるコンテンツを保持するためのコンテンツデータ記憶領域を開設し、更に、通信当事者間での通話セッションの終了後にこの領域を解放する。
【００２４】
（７）一方の通信当事者および他方の通信当事者の双方の通信当事者間でコンテンツを共有しながら通話を行うことが可能なコンテンツ共有通信サービスをサポートするコンテンツ共有通信サービス管理装置であって、
前記通信当事者間での通話セッションの状況を監視して呼制御に係る所要の情報を外部と授受するセッション管理部と、
前記何れかの通信当事者による所定の操作に基づくコンテンツ共有通信サービス要求を受付けるユーザインターフェース部と、
前記ユーザインターフェース部が受付けた当該コンテンツ共有通信サービス要求に応じて当該共有するコンテンツを保持するコンテンツデータ記憶領域を開設するコンテンツデータ記憶領域開設制御部と、
前記セッション管理部が当該コンテンツ共有通信サービスに係るセッションが終了したことを検出したときには、前記コンテンツデータ記憶領域を解放するコンテンツデータ記憶領域解放制御部と、
を備えていることを特徴とするコンテンツ共有通信サービス管理装置。
【００２５】
上記（７）のコンテンツ共有通信サービス管理装置は、一方の通信当事者および他方の通信当事者の双方の通信当事者間でコンテンツを共有しながら通話を行うことが可能なコンテンツ共有通信サービスをサポートする。
このコンテンツ共有通信サービス管理装置は、セッション管理部と、ユーザインターフェース部と、コンテンツデータ記憶領域開設制御部と、コンテンツデータ記憶領域解放制御部とを含んで構成される。
セッション管理部は、前記通信当事者間での通話セッションの状況を監視して呼制御に係る所要の情報を外部と授受する。
【００２６】
また、ユーザインターフェース部は、前記何れかの通信当事者による所定の操作に基づくコンテンツ共有通信サービス要求を受付ける。
更に、コンテンツデータ記憶領域開設制御部は、前記ユーザインターフェース部が受付けた当該コンテンツ共有通信サービス要求に応じて当該共有するコンテンツを保持するコンテンツデータ記憶領域を開設する。
そして、コンテンツデータ記憶領域解放制御部は、前記セッション管理部が当該コンテンツ共有通信サービスに係るセッションが終了したことを検出したときには、前記コンテンツデータ記憶領域を解放する。
【００２７】
（８）ネットワークにおける一方の通信当事者および他方の通信当事者の双方の通信当事者間でコンテンツを共有しながら通話を行うことが可能なコンテンツ共有通信サービスを提供するコンテンツ共有通信方法であって、
前記双方の通信当事者間での通話セッションを管理し、何れかの通信当事者からのコンテンツ共有通信サービス要求を受付けて前記コンテンツ共有通信サービスをサポートするための管理を実行し、
前記一方の通信当事者の操作に応じて双方の通信当事者間で共有されるコンテンツを前記双方の通信当事者からアクセス可能に保持するためのコンテンツデータ記憶領域を前記ネットワーク上に開設し、前記双方の通信当事者間での通話セッションの終了後に、当該コンテンツデータ記憶領域を解放することを特徴とするコンテンツ共有通信方法。
【００２８】
上記（８）のコンテンツ共有通信方法では、双方の通信当事者間での通話セッションを管理すると共に、何れかの通信当事者からのコンテンツ共有通信サービス要求を受付けて前記コンテンツ共有通信サービスをサポートする。
そして、一方の通信当事者の操作に応じて双方の通信当事者間で共有されるコンテンツを前記双方の通信当事者からアクセス可能に保持するためのコンテンツデータ記憶領域を前記ネットワーク上に開設し、前記双方の通信当事者間での通話セッションの終了後に、当該コンテンツデータ記憶領域を解放する。
【発明の効果】
【００２９】
簡単な操作によってコンテンツを共有しながら通話を行うことができ、且つ、コンテンツのデータを必ずしも相手方に供与することなく実効的にコンテンツを共有することが可能な、コンテンツ共有通信システム、通信システム管理サーバ、コンテンツ共有管理サーバ、コンテンツ共有通信サービス管理装置、および、コンテンツ共有通信方法が実現される。
【図面の簡単な説明】
【００３０】
【図１】本発明の一つの実施の形態としてのコンテンツ共有通信システムをコンテンツ共有通信状態時の情報の流れを伴って表す図である。
【図２】図１のコンテンツ共有通信システムにおける音声通話切断時の情報の流れを表す図である。
【図３】図１のコンテンツ共有通信システムにおいて適用される通信システム管理サーバの構成を例示する機能ブロック図である。
【図４】図１のコンテンツ共有通信システムにおいて適用されるコンテンツ共有管理サーバの構成を例示する機能ブロック図である。
【図５】本発明の他の実施の形態としてのコンテンツ共有通信システムをコンテンツ共有通信状態時の情報の流れを伴って表す図である。
【図６】図５のコンテンツ共有通信システムにおいて適用されるコンテンツ共有通信サービス管理装置の構成を例示する機能ブロック図である。
【発明を実施するための形態】
【００３１】
以下に、図面を参照して本発明の実施の形態について詳述することにより、本発明を明らかにする。
（コンテンツ共有通信システムの構成の概要）
図１は、本発明の一つの実施の形態としてのコンテンツ共有通信システムを表す機能ブロック図である。
図１のコンテンツ共有通信システムでは、通信サービスの一態様として画像等のコンテンツを共有しながら音声通話を行う通信（コンテンツ共有通信サービスによる通話であり、以下、適宜、コンテンツ共有通信という）が可能である。
図１のコンテンツ共有通信システムにおけるコンテンツ共有通信では、一方の通信当事者（以下、当事者Ａ）は、携帯情報端末装置１１１およびパーソナルコンピュータ１１２を、コンテンツ共有通信における当事者Ａ側の端末装置１１０として用いる。
【００３２】
同様に、他方の通信当事者（以下、当事者Ｂ）は、携帯情報端末装置１２１およびパーソナルコンピュータ１２２を、コンテンツ共有通信における当事者Ｂ側の端末装置１２０として用いる。
当事者Ａおよび当事者Ｂ間、即ち、端末装置１１０および端末装置１２０を間のコンテンツ共有通信は、ネットワーク１００を介して行われる。ネットワーク１００には、基地局、基地局制御装置、交換機、ＨＬＲ等々の携帯情報端末装置による通信を可能にするための公知の各ノードやサーバが含まれるが、これらについては本発明思想の特徴との関連において別段の構成・作用を持つものではないため、説明を省略する。
このネットワーク１００には、通信システム管理サーバ１３０、および、コンテンツ共有管理サーバ１４０が接続されている。
【００３３】
通信システム管理サーバ１３０は、ネットワーク１００における通信当事者間でのセッションを監視し、該当するセッションが確立している期間に亘ってコンテンツ共有通信のサービスをサポートし、更に、所要に応じて該期間を超えて通信当事者間での通信を管理する。
コンテンツ共有管理サーバ１４０は、通信システム管理サーバ１３０との連携によって、ネットワーク１００における通信当事者間でのコンテンツ共有通信のセッションが確立している期間に亘って、コンテンツ共有通信において通信当事者間で共有されるコンテンツのデータ（以下、適宜、コンテンツデータという）をアクセス可能に保持するためのコンテンツデータ記憶領域を開設する。
【００３４】
尚、上述の構成において、通信システム管理サーバ１３０とコンテンツ共有管理サーバ１４０とは、所定の伝送路によって直接的に結ばれ、同一の事業者によって運営、管理される形態で設置される形態が採られ得る。しかしながら、コンテンツ共有通信サービスを提供するためのシステムは、この形態に限定される必然はない。
即ち、通信システム管理サーバ１３０とコンテンツ共有管理サーバ１４０とは、ネットワーク１００を介して結ばれ、且つ、通信システム管理サーバ１３０とコンテンツ共有管理サーバ１４０は別個の事業者によって運営、管理される形態が採られ得る。
【００３５】
（コンテンツ共有通信サービスの開始プロセス）
次に、図１を参照してコンテンツ共有通信サービスの開始プロセスについて説明する。
Ｐ１：当事者Ａが当事者Ｂに通常の如く電話をかけることによって、当事者Ａ，Ｂ間（携帯情報端末装置１１１、１２１間）に通話セッションが確立する。当事者Ａ，Ｂ間での通話セッションの管理は通信システム管理サーバ１３０の所管である（図１において破線にてその概念を図示）。
尚、通話セッションが確立する過程では、従来のシステムにおけると同様に基地局、基地局制御装置、交換機、ＨＬＲ等々が関与するが、これら自体については既述の図示省略の経緯のとおり公知である。
Ｐ２：通信システム管理サーバ１３０は、ネットワーク１００においてＰ１での通話セッションが確立したことを認識する。
【００３６】
Ｐ３：当事者Ａは、Ｐ１で通話セッションが確立すると、次いで、携帯情報端末装置１１１またはパーソナルコンピュータ１１２を用いて、コンテンツ共有管理サーバ１４０にアクセスする。
Ｐ４：上記Ｐ３でのアクセスを受けたコンテンツ共有管理サーバ１４０は、通信システム管理サーバ１３０に、当事者Ａがこのネットワーク１００でのサービスを利用可能な正規の加入者であるか否かを確認し、且つ、当事者Ａの通話相手を確認する。ここでは、当事者Ａはコンテンツ共有通信サービスを含むサービスを利用可能な正規の加入者であるものとする。
Ｐ５：通信システム管理サーバ１３０は、Ｐ４での確認を受けて、当事者Ａは正規の加入者であり、且つ、当事者Ａの通話相手は当事者Ｂである旨コンテンツ共有管理サーバ１４０に通知する。
【００３７】
Ｐ６：コンテンツ共有管理サーバ１４０は、当事者Ａおよび当事者Ｂ用の共有コンテンツを双方の通信当事者からアクセス可能に保持するためのコンテンツデータ記憶領域を開設する。
Ｐ７：コンテンツ共有管理サーバ１４０は、Ｐ６で開設したコンテンツデータ記憶領域へのアクセス先（ＵＲＬ）を当事者Ａに通知する。この通知に応じて、当事者Ａは、パーソナルコンピュータ１１２から上記アクセス先（ＵＲＬ）に接続する。尚、この場合、当事者Ａは、パーソナルコンピュータ１１２を用いるに替えて、携帯情報端末装置１１１から上記アクセス先（ＵＲＬ）に接続することもできる。
Ｐ８：当事者Ａのパーソナルコンピュータ１１２の表示部にコンテンツデータ記憶領域が表示される。上述のように携帯情報端末装置１１１から上記アクセス先（ＵＲＬ）に接続した場合には、携帯情報端末装置１１１の表示部にコンテンツデータ記憶領域が表示される。
【００３８】
Ｐ９：当事者Ａがパーソナルコンピュータ１１２または携帯情報端末装置１１１から通話先と共有を意図している、例えば動画や静止画等のコンテンツデータを上記アクセス先（ＵＲＬ）であるコンテンツデータ記憶領域に格納する。即ち、当事者Ａ側の端末装置１１０（携帯情報端末装置１１１、パーソナルコンピュータ１１２）からコンテンツ共有管理サーバ１４０にコンテンツデータをアップロードする。
尚、Ｐ９におけるコンテンツデータの格納は、サーバホスティング事業者が運営するネットワーク上のサーバの特定記憶領域に用意してあったコンテンツデータのうちから当事者Ａが選択したものを、上述のコンテンツデータ記憶領域に転送することによって格納するようにしてもよい。
Ｐ１０：コンテンツ共有管理サーバ１４０は、コンテンツデータ記憶領域にコンテンツデータが格納されたことを当事者Ｂ（そのパーソナルコンピュータ１２２）に通知する。
【００３９】
Ｐ１１：上記Ｐ１０での通知を受けて、当事者Ｂがパーソナルコンピュータ１２２からコンテンツ共有管理サーバ１４０のコンテンツデータ記憶領域にアクセスする。
Ｐ１２：上記Ｐ１０でのアクセスを受けたコンテンツ共有管理サーバ１４０は、当事者Ｂが正規の加入者であるか否かを通信システム管理サーバ１３０に確認し、且つ、当事者Ｂの通話相手を確認する。ここでは、当事者Ｂは正規の加入者であるものとする。
Ｐ１３：通信システム管理サーバ１３０は、Ｐ１２での確認を受けて、当事者Ｂは正規の加入者であり、且つ、当事者Ｂの通話相手は当事者Ａである旨コンテンツ共有管理サーバ１４０に通知する。
【００４０】
Ｐ１４：上記Ｐ１３での処理によって、コンテンツ共有管理サーバ１４０のコンテンツデータ記憶領域に当事者Ａが格納したコンテンツデータへの当事者Ｂ側の端末装置１２０（携帯情報端末装置１２１、パーソナルコンピュータ１２２）からのアクセスが許容されることになる。
従って、当事者Ａおよび当事者Ｂは、当事者Ａ側の端末装置１１０（携帯情報端末装置１１１、パーソナルコンピュータ１１２）および事者Ｂ側の端末装置１２０（携帯情報端末装置１２１、パーソナルコンピュータ１２２）からコンテンツ共有管理サーバ１４０のコンテンツデータ記憶領域における上述のコンテンツデータによるコンテンツを共有しながら通話を行うことができる。
【００４１】
（コンテンツ共有通信サービスの終了プロセス）
次に、図２を参照してコンテンツ共有通信サービスの終了プロセスについて説明する。
図２は、図１のコンテンツ共有通信システムにおける音声通話切断時の情報の流れを表す図である。
Ｐ１５：当事者Ａ（携帯情報端末装置１１１）および当事者Ｂ（携帯情報端末装置１２１）での通話が終了する。
Ｐ１６：通信システム管理サーバ１３０は、通話セッションが終了したことを認識する。
Ｐ１７：通信システム管理サーバ１３０は、通話セッションが終了したことをコンテンツ共有管理サーバ１４０に通知する。
【００４２】
Ｐ１８：コンテンツ共有管理サーバ１４０はＰ１７の通知を受けて、上述のコンテンツデータ記憶領域を解放する。この解放は、コンテンツデータ記憶領域における保持データを消去する操作と共に実行され得る。そして、解放時点以降は、当事者Ａ側の端末装置１１０（携帯情報端末装置１１１、パーソナルコンピュータ１１２）および事者Ｂ側の端末装置１２０（携帯情報端末装置１２１、パーソナルコンピュータ１２２）からこのコンテンツデータ記憶領域へのアクセスが遮断される。
【００４３】
（通信システム管理サーバの構成）
図３は、図１のコンテンツ共有通信システムにおいて適用される通信システム管理サーバの構成を例示する機能ブロック図である。尚、図３では、図１における通信システム管理サーバ１３０について、改めて、符号３００を割当てている。
図示のように、この実施の形態では、通信システム管理サーバ３００は、セッション管理部３１０、コンテンツ共有管理サーバインターフェース部３２０、正規加入者識別部３３０、および、セッション終了通知部３４０を含んで構成されている。
セッション管理部３１０は、関与するネットワーク１００における通話セッションの状況を監視して呼制御に係る所要の情報（例えば、加入者情報、コンテンツ共有通信サービスに係る契約状況の情報等）を図示しないＨＬＲや上述のコンテンツ共有管理サーバ等の外部と授受する。
【００４４】
また、コンテンツ共有管理サーバインターフェース部３２０はコンテンツ共有管理サーバ１４０と所要の情報の授受を行うためのインターフェース部である。
更に、正規加入者識別部３３０は通信当事者が正規の加入者であるか否かの識別を行う機能部であり、それ自体はこの種のシステムにおける通常の機能部である。
そして、セッション終了通知部３４０は、セッション管理部３１０が当該コンテンツ共有通信サービスに係るセッションが終了したことを検出したときには、コンテンツ共有管理サーバ１４０に該セッションの終了を通知する。
【００４５】
（コンテンツ共有管理サーバの構成）
図４は、図１のコンテンツ共有通信システムにおいて適用されるコンテンツ共有管理サーバの構成を例示する機能ブロック図である。尚、図４では、図１におけるコンテンツ共有管理サーバ１４０について、改めて、符号４００を割当てている。
図示のように、この実施の形態では、コンテンツ共有管理サーバ４００は、コンテンツデータ記憶領域開設制御部４１０、コンテンツデータ記憶領域解放制御部４２０、通信システム管理サーバインターフェース部４３０、および、ユーザインターフェース部４４０を含んで構成されている。また、コンテンツ共有管理サーバ４００は外部の記憶装置４５０と接続される。そして、この記憶装置４５０はネットワーク１００経由で外部からアクセス可能な記憶領域を保有している。
【００４６】
コンテンツデータ記憶領域開設制御部４１０は、通信システム管理サーバ３００（図１：１３０）から、通信当事者間でのセッションが確立した旨の通知、および、通信当事者は当該通信システムにおける正規加入者である旨の通知を、通信システム管理サーバインターフェース部４３０を通して受信し、且つ、何れかの通信当事者（例えば、当事者Ａ）によるコンテンツ共有通信サービスに入るための、例えば、携帯情報端末装置１１１の特定の番号キーへの操作等の所定の操作に基づくコンテンツ共有通信サービス要求を、ユーザインターフェース部４４０を通して受付けると、該当するコンテンツデータ記憶領域を記憶装置４５０に開設する。
通信システム管理サーバインターフェース部４３０は通信システム管理サーバと所要の情報の授受を行うためのインターフェース部である。
【００４７】
また、ユーザインターフェース部４４０は、通信当事者からのコンテンツ共有通信サービス要求およびその他の操作を受付けるためのインターフェース部である。
上述のように記憶装置４５０に開設されたコンテンツデータ記憶領域には、本コンテンツ共有通信サービスに係る何れの当事者（当事者Ａ、当事者Ｂ）からもアクセス可能であり、双方の当事者は同じコンテンツを観察乃至鑑賞しながら、通話を行うことが可能になる。
但し、本実施の形態では、当該コンテンツデータ記憶領域に自ら意図したコンテンツをアップロード乃至転送することによって他方の当事者Ｂと共有可能にした一方の当事者Ａのコンテンツデータは、他方の当事者Ｂにおいてダウンロード等により取得することは禁止される。
【００４８】
この禁止を行うための手法自体は、例えば、次のＵＲＬに所在の情報等により公知である：
http://www.css-lecture.com/log/javascript/dwimageprotector.html
http://www.netmania.jp/technique/hp/error.php
そして、コンテンツデータ記憶領域解放制御部４２０は、通信システム管理サーバ３００（図１：１３０）から、通信システム管理サーバインターフェース部４３０を通して伝達される、当該コンテンツ共有通信サービスに係るセッションの終了通知に応じて、記憶装置４５０におけるコンテンツデータ記憶領域を解放する。
この解放は、コンテンツ共有管理サーバ４００或いは記憶装置４５０自体に対してコンテンツ共有通信サービスの利用者（当事者Ｂ）からのアクセスを遮断する態様でも実行され得る。しかし、本例の場合は、記憶装置４５０に開設されていたコンテンツデータ記憶領域を特定して、該特定した記憶領域への当事者Ｂからのアクセスを遮断する態様が採られる。
【００４９】
以上のとおり、図１乃至図４を参照して説明した実施の形態では、本コンテンツ共有通信サービスに係る通信当事者（当事者Ａ、当事者Ｂ）間では、双方の通信当事者間に通話セッションが確立している期間に限ってコンテンツの共有がなされ、当該通話セッションの終了と共にコンテンツの共有も解消する。
従って、結果的に、共有に供したコンテンツデータを一方の通信当事者から他方の通信当事者に対して供与することなくコンテンツ共有通信サービスの通話が行われ、その期間に限って実効的にコンテンツの共有が実現する。
このため、コンテンツ共有通信の利便性を双方の通信当事者間で享受しつつも、コンテンツデータの供与については不所望とするような利用者の意思をも理想的に反映された通信が実現する。
【００５０】
より具体的には、例えば、次のような場面が想定される。即ち、或る商品の営業担当者が特別な得意先である顧客に、開発中の新商品の画像を提示して種々電話で口頭説明するような場面がこれに該当する。特別な得意先であるからこそ、早期に新商品のイメージをコンテンツ共有通信によって提示する。このように、電話であるとはいえ、早期に且つイメージを伴うという他とは一線を画すような水準の接遇をすることは、新商品購入の予約実績に結びつく蓋然性が高い。しかしながら、画像を提示する時期がプレス発表前であったり、仕様については未確定な部分を残すといった極めて早期の時点である場合などでは、当該新商品の画像に関する元データが第三者に流出することは回避したい。そして、このような場面において特に、本発明のシステムによって実現されるコンテンツ共有通信サービスは、格好の営業ツールとなり得る。
【００５１】
画像（イメージコンテンツ）を伴ってはじめて可能になる微妙なイメージに亘る詳細な説明が簡易な操作で可能になる一方で、当該新商品のイメージコンテンツの元データまでは顧客に供与せず、手許に留保しておくことが可能であるからである。
一方、より日常的な場面において、利便性を享受しつつプライバシーの保護やセキュリティーの面から安心して利用することができる場面が想定される。
例えば、友人同士で会話をしながら静止画や動画（イメージコンテンツ）を共有する場合において、自分の昔の写真や、自分以外の人が写っている写真などについては、相手方にこれらのデータが残ってしまうことは避けたいといったことも少なくない。本発明の実施の形態によれば、このような場合においても、安心して仲間同士で静止画や動画（イメージコンテンツ）を共有し、一緒に見ながら歓談することが可能である。
【００５２】
また、昨今、引越しの見積もりを電話とその後の引越し業者の訪問によって行うことが多い。このような場合、電話での連絡に際して、室内や家の状況を写真で引越し業者と共有しておけば、訪問前に大まかな見当をつけることができる。従って、予め相応の用意をすることが可能になり、より実情に即した質の高いサービスが期待できる。しかしながら、室内や家の状況の写真（画像データ）が引越し業者側に保存されてしまうことは望ましくない。本発明の実施の形態によれば、上述のような不所望な点を回避しつつ、イメージコンテンツの共有によるサービス向上という利点を享受できる。
【００５３】
更にまた、異なる視点において、本発明は、コンテンツの受信者側となる通信当事者に特定の便宜を与えるものとなる。即ち、コンテンツの受信者側の端末装置に当該コンテンツデータをダウンロードすることがそのコンテンツを利用するための必須の条件となるようなシステムでは、当該端末装置の紛失は、そのまま当該コンテンツの紛失を意味する。しかしながら、本発明の実施の形態では、コンテンツの利用は該当するＵＲＬへのアクセスによるものであって、当該コンテンツデータをダウンロードしておくことを前提としていない。このため、仮にも、当該端末装置を紛失したとしても、その紛失が、当該コンテンツデータの状態に影響することがない。
【００５４】
尚、以上に説明したコンテンツ共有通信システムは、通信システム管理サーバとコンテンツ共有管理サーバとを別個のものとして設置し、上述のように機能分担する形態を採るものであった。
このように機能分担する形態を採る場合は、セッションの監視機能を担う通信システム管理サーバ内に他の機能部を付加することによって、或いは、セッションの監視に基づいて取得される情報を外部に提供することによって、例えば、プレゼンスサービス（通話中や通話待機中といった通信当事者の状態を第三者に表示するサービス）のような他のサービスを提供するための機能部としても上述の通信システム管理サーバを兼用するといった他の応用面での展開が期待できる。
【００５５】
（他の実施の形態におけるコンテンツ共有通信システム）
図５は、本発明の他の実施の形態としてのコンテンツ共有通信システムをコンテンツ共有通信状態時の情報の流れを伴って表す図である。
図５において、既述の図１との対応部は同一の符号によって示されている。
この図５におけるコンテンツ共有通信管理装置５００は、図１の実施の形態における通信システム管理サーバ１３０の機能とコンテンツ共有管理サーバ１４０の機能とが統合された機能を保有する。
従って、図１を参照して既述の、Ｐ４（当事者Ａが正規加入者であるかの確認と、通話相手の確認）、Ｐ５（Ｐ４への返答）、Ｐ１２（当事者Ｂが正規加入者であるかの確認と、通話相手の確認）、および、Ｐ１３（Ｐ１２への返答）の処理、乃至これらに準ずる処理は、コンテンツ共有通信管理装置５００内で実行される。
【００５６】
他の、Ｐ１、Ｐ２、Ｐ３、Ｐ６、Ｐ７、Ｐ８、Ｐ９、Ｐ１０、Ｐ１１、Ｐ１４、Ｐ１５の処理については図１を参照して既述のところと実質的に同様であるため、図５においてこれらの番号を表記し、対応する番号を参照して図１について説明した記述を援用する。
また一方、図２を参照して既述のコンテンツ共有通信サービスの終了プロセスについても、同様に、当事者Ａと当事者Ｂとの通話が終了すると（Ｐ１５）、コンテンツ共有通信管理装置５００は通話の終了を認識し（Ｐ１６）、コンテンツデータ記憶領域の解放処理が実行される（Ｐ１８）。この場合、コンテンツ共有通信管理装置５００内では、通信システム管理サーバ１３０は、通話セッションが終了したことをコンテンツ共有管理サーバ１４０に通知する処理（Ｐ１７）に準ずる処理が行われるか乃至は省略され得る。
【００５７】
（コンテンツ共有通信管理装置の構成）
図６は、図５のコンテンツ共有通信システムにおいて適用されるコンテンツ共有通信サービス管理装置の構成を例示する機能ブロック図である。
図６において、コンテンツ共有通信管理装置５００は、セッション管理部５１０、ユーザインターフェース部５２０、コンテンツデータ記憶領域開設制御部５３０、および、コンテンツデータ記憶領域解放制御部５４０を含んで構成されている。また、コンテンツ共有通信管理装置５００は外部の記憶装置５５０と接続される。そして、この記憶装置５５０はネットワーク１００経由で外部からアクセス可能な記憶領域を保有している。
セッション管理部５１０は、関与するネットワーク１００における通話セッションの状況を監視して呼制御に係る所要の情報（例えば、加入者情報、コンテンツ共有通信サービスに係る契約状況の情報等）を図示しないＨＬＲ等の外部装置と授受する。
【００５８】
また、ユーザインターフェース部５２０は、何れかの通信当事者（例えば、当事者Ａ）によるコンテンツ共有通信サービスに入るための、例えば、携帯情報端末装置１１１の特定の番号キーの操作等の所定の操作に基づくコンテンツ共有通信サービス要求を受付ける。
更に、コンテンツデータ記憶領域開設制御部５３０は、ユーザインターフェース部５２０が当該コンテンツ共有通信サービス要求を受付けたときには、当該共有するコンテンツを保持するコンテンツデータ記憶領域を記憶装置５５０に開設する。
上述のように開設されたコンテンツデータ記憶領域には、本コンテンツ共有通信サービスに係る何れの通信当事者（当事者Ａ、当事者Ｂ）からもアクセス可能であり、双方の通信当事者は同じコンテンツを観察乃至鑑賞しながら、通話を行うことが可能になる点は、図１乃至図４を参照して既述の実施の形態と同様である。
【００５９】
また、当該コンテンツデータ記憶領域に自ら意図したコンテンツをアップロード乃至転送することによって他方の当事者Ｂと共有可能にした一方の当事者Ａのコンテンツデータは、他方の当事者Ｂにおいてダウンロード等により取得することは禁止される点も既述の実施の形態と同様である。
そして、コンテンツデータ記憶領域解放制御部５４０は、セッション管理部５１０における当該コンテンツ共有通信サービスに係るセッション終了の認識に応じて、記憶装置５５０におけるコンテンツデータ記憶領域を解放する。
この解放は、記憶装置５５０自体に対してコンテンツ共有通信サービスを利用する通信当事者（当事者Ｂ）からのアクセスを遮断する態様でも実行され得る。しかし、本例の場合は、記憶装置５５０に開設されていたコンテンツデータ記憶領域を特定して、該特定した記憶領域への当事者Ｂからのアクセスを遮断する態様が採られる。
【００６０】
以上、図５および図６を参照して説明した実施の形態においても、本コンテンツ共有通信サービスに係る通信当事者（当事者Ａ、当事者Ｂ）間では、双方の通信当事者間に通話セッションが確立している期間に限ってコンテンツの共有がなされ、当該通話セッションの終了と共にコンテンツの共有も解消する。
従って、結果的に、共有に供したコンテンツデータを一方の通信当事者から他方の通信当事者に対して供与することなくコンテンツ共有通信サービスの通話が行われ、その期間に限ってコンテンツの共有が実現する。
【００６１】
このため、コンテンツ共有通信の利便性を双方の通信当事者間で享受しつつも、コンテンツデータの供与については不所望とする利用者の意思が理想的に反映された通信が実現する。
具体的な場面については、図１乃至図４を参照して説明した実施の形態に関する場合と同様である。また、通信当事者が端末装置を紛失したような場合における影響に関しても前述同様である。
【符号の説明】
【００６２】
１００………………ネットワーク
１１０………………端末装置（当事者Ａ側）
１１１………………携帯情報端末装置
１１２………………パーソナルコンピュータ
１２０………………端末装置（当事者Ｂ側）
１２１………………携帯情報端末装置
１２２………………パーソナルコンピュータ
１３０………………通信システム管理サーバ
１４０………………コンテンツ共有管理サーバ
３００………………通信システム管理サーバ
３１０………………セッション管理部
３２０………………コンテンツ共有管理サーバインターフェース部
３３０………………コンテンツデータ記憶領域開設指令部
３４０………………セッション終了通知部
４００………………コンテンツ共有管理サーバ
４１０………………コンテンツデータ記憶領域開設制御部
４２０………………コンテンツデータ記憶領域解放制御部
４３０………………記憶装置
５００………………コンテンツ共有通信管理装置
５１０………………セッション管理部
５２０………………ユーザインターフェース部
５３０………………コンテンツデータ記憶領域開設制御部
５４０………………コンテンツデータ記憶領域解放制御部
５５０………………記憶装置 
【図１】
2012099916.tif 000003
【図２】
2012099916.tif 000004
【図３】
2012099916.tif 000005
【図４】
2012099916.tif 000006
【図５】
2012099916.tif 000007
【図６】
2012099916.tif 000008